(57)【要約】【課題】操作性の劣化や構造の複雑化を伴わずに、オン・オフに切り替えた状態が保持できるラッチ機構付きのスライドスイッチを提供すること。【解決手段】揺動可能に配置された導体板６に、支持接点部材２上に常に傾斜した姿勢で搭載される第１の傾斜部６ａと、第１の傾斜部６ａの上端部から逆向きの勾配で延出形成された第２の傾斜部６ｂと、第２の傾斜部６ｂから延出形成されて固定接点部材３に接離可能な可動接点部６ｄとが設けてあり、スライダ９をスライド操作して駆動体７を第１の傾斜部６ａの下端部から第２の傾斜部６ｂまで摺動させると、導体板６が回転して可動接点部６ｄが固定接点部材３に当接し、オフからオンへの切り替えが行われる。かかるオン状態で、駆動体７は第２の傾斜部６ｂ上に位置するため、スライダ７はオン位置に保持される。【選択図】　　　図２
2004014147.tif 000002
【特許請求の範囲】
【請求項１】
底壁を有するケースと、このケースの前記底壁上に露出する支持接点部材および固定接点部材と、前記支持接点部材との接触部位を揺動支点として前記底壁上に揺動可能に配置された導体板と、この導体板上に摺動可能に配置された駆動体と、この駆動体を前記導体板に向けて弾性付勢するばね部材と、前記駆動体および前記ばね部材を保持して前記導体板の長手方向に沿ってスライド可能なスライダとを備え、
前記導体板に、前記支持接点部材上に常に傾斜した姿勢で搭載される第１の傾斜部と、この第１の傾斜部の上端部から逆向きの勾配で延出形成された第２の傾斜部と、この第２の傾斜部から延出形成されて前記固定接点部材に接離可能な可動接点部とを設け、
前記スライダをスライド操作して前記駆動体を前記第１の傾斜部の下端部から前記第２の傾斜部まで摺動させると、前記導体板が回転して前記可動接点部が前記固定接点部材と当接するように構成したことを特徴とするスライドスイッチ。
【請求項２】
請求項１の記載において、前記ケースに固定されて前記底壁上に露出する第２の固定接点部材が、前記支持接点部材に対して前記固定接点部材側とは反対側に配置させてあると共に、前記導体板に前記第１の傾斜部の下端部から延出形成されて前記第２の固定接点部材に接離可能な第２の可動接点部が設けてあることを特徴とするスライドスイッチ。
【発明の詳細な説明】
【０００１】
【発明の属する技術分野】
本発明は、スライド操作によってオン・オフの切り替えを行うスライドスイッチに係り、特に、オン・オフに切り替えた状態が保持されるラッチ機構を備えていると共に、比較的大きな電流を通電可能なスライドスイッチに関する。
【０００２】
【従来の技術】
ラッチ機構付きのスライドスイッチとしては、従来、常時弾性付勢される鋼球、あるいは係止部を有する板ばねを、操作部材であるスライダと一体的に往復移動させるという構成のものが知られている。この種のスライドスイッチでは、スライダが所定位置に移動すると、ケース等の固定側部材に予め設けられた凹部に、該鋼球あるいは該係止部が入り込んで係止され、これによりスライダの移動が規制されるようになっている。
【０００３】
しかしながら、上述したラッチ機構は、スライダに取り付けた摺動子を接点パターンが形成されている平坦面上で摺動させてオン・オフの切り替えを行う方式のスライドスイッチには好適であるが、導体板を揺動させてオン・オフの切り替えを行う方式のスライドスイッチには不向きである。すなわち、通電量が大きいスライドスイッチの場合、スライダの移動に伴って導体板を揺動させることにより、この導体板を固定接点に接離させるという構成が一般的であるが、このようなスライドスイッチの従来品は、スライダのオン位置が導体板の傾斜面上にあり、操作力を除去するとスライダが該傾斜面に案内されてオフ位置へ自動復帰するというものなので、上述したような鋼球や板ばねを凹部に係脱させるラッチ機構ではスライダをオン位置に確実に保持することは困難である。
【０００４】
そこで従来、傾斜が極めて緩やかな導体板を用いて、この導体板の姿勢がオン状態とオフ状態でシーソーのように変化するという構成のラッチ機構付きスライドスイッチが提案されている。かかる従来提案は、スライダを介して導体板を揺動させることによりオン・オフの切り替えを行う方式のスライドスイッチでありながら、スライダをオン位置にもオフ位置にも確実に保持することができる。
【０００５】
【発明が解決しようとする課題】
前述した従来提案は、比較的大きな電流が通電可能なスライドスイッチにおいて、構造を複雑化することなくオン・オフに切り替えた状態が保持できるという利点はあるものの、操作時にスライダが揺動支点上を通過するときに導体板の姿勢が略水平になってしまうため、スライダが揺動支点上の中間位置（オン位置とオフ位置の間）に停止しやすくなり、操作性が悪いという問題があった。なお、通常の導体板を備えた従来のスライドスイッチの場合、導体板の傾斜面上にあってオフ位置へ向かう力が作用しているスライダを保持するためには、専用のラッチ機構を外部に付設しなければならないので、構造の複雑化を余儀なくされる。
【０００６】
本発明は、このような従来技術の実情に鑑みてなされたもので、その目的は、操作性の劣化や構造の複雑化を伴わずに、オン・オフに切り替えた状態が保持できるラッチ機構付きのスライドスイッチを提供することにある。
【０００７】
【課題を解決するための手段】
上述した目的を達成するため、本発明のスライドスイッチは、底壁を有するケースと、このケースの前記底壁上に露出する支持接点部材および固定接点部材と、前記支持接点部材との接触部位を揺動支点として前記底壁上に揺動可能に配置された導体板と、この導体板上に摺動可能に配置された駆動体と、この駆動体を前記導体板に向けて弾性付勢するばね部材と、前記駆動体および前記ばね部材を保持して前記導体板の長手方向に沿ってスライド可能なスライダとを備え、前記導体板に、前記支持接点部材上に常に傾斜した姿勢で搭載される第１の傾斜部と、この第１の傾斜部の上端部から逆向きの勾配で延出形成された第２の傾斜部と、この第２の傾斜部から延出形成されて前記固定接点部材に接離可能な可動接点部とを設け、前記スライダをスライド操作して前記駆動体を前記第１の傾斜部の下端部から前記第２の傾斜部まで摺動させると、前記導体板が回転して前記可動接点部が前記固定接点部材と当接するように構成した。
【０００８】
このような構成のスライドスイッチでは、第１の傾斜部が、導体板が揺動しても揺動支点上で水平姿勢とならない傾きを有するため、操作時にスライダが揺動支点上で停止してしまう心配がない。また、スライダをスライド操作して駆動体を第１の傾斜部の下端部から第２の傾斜部まで摺動させると、導体板が回転して可動接点部が固定接点部材に当接するため、支持接点部材と固定接点部材とが導体板を介して導通されるオン状態となるが、このオン状態で第２の傾斜部上の駆動体にはオフ位置へ向かう力が作用していないので、操作方向に沿うスライダの移動範囲を適宜定めておくことにより、スライダをオン位置に確実に保持しておくことができる。
【０００９】
なお、導体板の第１の傾斜部と第２の傾斜部との間は折曲部となっているので、オン状態でスライダを逆向きにスライド操作すると、第２の傾斜部上の駆動体は該折曲部を乗り越えた後、第１の傾斜部上を下端部まで円滑に摺動していき、この摺動時に導体板が回転して可動接点部が固定接点部材から離間するので、オフ状態となる。したがって、かかるスライド操作時に、駆動体が導体板の該折曲部を乗り越えた後、スライダは円滑にオフ位置まで案内されることとなる。
【００１０】
また、上述したスライドスイッチにおいて、前記ケースに固定されて底壁上に露出する第２の固定接点部材が、支持接点部材に対して前記固定接点部材側とは反対側に配置させてあると共に、導体板に、第１の傾斜部の下端部から延出形成されて第２の固定接点部材に接離可能な第２の可動接点部が設けてあれば、オフ状態のときに導体板を介して支持接点部材と第２の固定接点部材とを導通させ、オン状態のときには導体板を第２の固定接点部材から離間させることができる。
【００１１】
【発明の実施の形態】
発明の実施の形態について図面を参照して説明すると、図１は本発明の実施形態例に係るスライドスイッチの分解斜視図、図２は該スライドスイッチのオフ状態を示す断面図、図３は該スライドスイッチのオン状態を示す断面図である。
【００１２】
これらの図に示すスライドスイッチは、合成樹脂製のケース１と、このケース１の底壁１ａに配設された支持接点部材２と第１および第２の固定接点部材３，４と、これらの接点部材２〜４から導出されてケース１の側壁に配設された複数の端子５と、ケース１の底壁１ａ上に揺動可能に配置された良導電性金属材からなる導体板６と、この導体板６上に摺動可能に配置された合成樹脂製の駆動体７と、この駆動体７を導体板６に向けて弾性付勢するコイルばね８と、導体板６の長手方向に沿って水平にスライド移動可能な合成樹脂製のスライダ９と、このスライダ９を突出させる開口１０ａを有してケース１に取着された金属薄板製のカバー１０とによって主に構成されている。
【００１３】
ケース１は底壁１ａの周囲に側壁を立設してなる有底箱形の成形品であり、インサート成形技術によって各接点部材２〜４および各端子５がケース１に一体化されている。各接点部材２〜４はケース１の底壁１ａ上に一列に並んで露出しており、第１の固定接点部材３と第２の固定接点部材４との間に支持接点部材２が配置されている。また、ケース１の長辺側の相対向する内壁には突部１ｂが形成されており、これら突部１ｂは上部を円弧状にしてある。
【００１４】
導体板６には、支持接点部材２上に常に傾斜した姿勢で搭載される第１の傾斜部６ａと、この第１の傾斜部６ａの上端部から逆向きの勾配で延出形成された第２の傾斜部６ｂと、第１および第２の傾斜部６ａ，６ｂの境界部である凸状折曲部６ｃと、第２の傾斜部６ｂから一端側へ延出形成されて第１の固定接点部材３に接離可能な第１の可動接点部６ｄと、第１の傾斜部６ａの下端部から他端側へ延出形成されて第２の固定接点部材４に接離可能な第２の可動接点部６ｅと、第１の傾斜部６ａと第２の可動接点部６ｅの境界部である凹状折曲部６ｆとが設けてある。この導体板６は支持接点部材２との接触部位を揺動支点Ｐとして揺動可能であり、図２に示す導体板６を一方向へ回転させると図３に示すような姿勢となり、図３に示す導体板６を逆方向へ回転させると図２に示すような姿勢となる。なお、導体板６の短手方向両側部には凹状折曲部６ｆを挟んで４つの突起６ｇが形成されており、これら突起６ｇをケース１の突部１ｂに係合することにより、揺動時に導体板６が長手方向へ位置ずれしないように規制している。
【００１５】
駆動体７とコイルばね８はスライダ９の中空部９ａ内に組み込まれて該スライダ９に保持されており、駆動体７は導体板６に常時弾接している。スライダ９はカバー１０の開口１０ａから上方へ突出しており、この開口１０ａの長手方向一端部と他端部との間でスライダ９は往復移動可能である。なお、スライダ９を開口１０ａ内で往復移動させると、コイルばね８を伸縮させながら駆動体７が導体板６上を摺動するようになっている。
【００１６】
このように構成されたスライドスイッチは、図２に示すようにスライダ９が開口１０ａ内の長手方向一端部に位置しているときオフ状態に保たれており、図３に示すようにスライダ９が開口１０ａ内の長手方向他端部に位置しているときオン状態に保たれている。そして、図２に示すスライダ９を同図の左向きにスライド操作することによりオフからオンへの切り替えが行え、図３に示すスライダ９を同図の右向きにスライド操作することによりオンからオフへの切り替えが行えるようになっている。
【００１７】
このスライドスイッチは、図２に示すオフ状態のとき、駆動体７が導体板６の凹状折曲部６ｆ上に位置していると共に、スライダ９が移動範囲の限界に位置して図示右向きの移動が規制されている。このとき、導体板６は、第１の傾斜部６ａと第２の可動接点部６ｅがそれぞれ支持接点部材２と第２の固定接点部材４に当接して支持されているので、両接点部材２，４は導体板６を介して導通されているが、第１の可動接点部６ｄが第１の固定接点部材３から離間しているため、支持接点部材２と第１の固定接点部材３間は非導通状態となっている。したがって、図２に示すスライダ９は、操作力が付与されない限り自らスライド移動することはなく、導体板６もオフ状態の安定した姿勢に保持されている。
【００１８】
オフ状態のスライドスイッチをオン動作させる場合は、図２に示すスライダ９を左向きにスライド操作する。これにより、駆動体７が導体板６の第１の傾斜部６ａ上を凸状折曲部６ｃに向かって摺動するので、駆動体７が揺動支点Ｐ上を通過した時点で、導体板６が図２の反時計回りに回転すると共に、慣性で駆動体７が凸状折曲部６ｃを乗り越えて　ｖ図３に示すオン状態に移行する。すなわち、第２の可動接点部６ｅが第２の固定接点部材４から離間した直後に、第１の可動接点部６ｄが第１の固定接点部材３に当接して、支持接点部材２と第１の固定接点部材３とが導体板６を介して導通され、かつ、駆動体７が第２の傾斜部６ｂ上に位置して、スライダ９が移動範囲の限界までスライド移動した状態となる。この状態で、駆動体７には第２の傾斜部６ｂに沿って下降しようとする力が作用するが、移動範囲の限界に到達したスライダ９は図示左向きの移動が規制されているので、結局、図３に示すスライダ９は、操作力が付与されない限り自らスライド移動することはなく、導体板６も支持接点部材２と第１の固定接点部材３とに支持されて、オン状態の安定した姿勢に保たれている。
【００１９】
また、オン状態のスライドスイッチをオフ動作させる場合は、第２の傾斜部６ｂ上の駆動体７が凸状折曲部６ｃを乗り越えて第１の傾斜部６ａ上へ移動できるように、図３に示すスライダ９を右向きにスライド操作する。これにより、駆動体７は、凸状折曲部６ｃを乗り越えた後、第１の傾斜部６ａ上を凹状折曲部６ｆに向かって円滑に摺動していき、駆動体７が揺動支点Ｐ上を通過した時点で導体板６が図３の時計回りに回転して、第１の可動接点部６ｄが第１の固定接点部材３から離間する。したがって、支持接点部材２と第１の固定接点部材３との導通が遮断されると共に、駆動体７が凹状折曲部６ｆ上まで円滑に案内されて、図２に示すオフ状態に戻る。
【００２０】
このように本実施形態例に係るスライドスイッチは、導体板６に第１の傾斜部６ａと第２の傾斜部６ｂとが設けてあり、図２，３に示すように、導体板６が揺動しても第１の傾斜部６ａは揺動支点Ｐ上で水平にはならないので、スライダ９が揺動支点Ｐ上で停止するという不具合が発生せず、常に良好なスライド操作が行える。また、このスライドスイッチは、図２に示すオフ状態でスライダ９を所定のオフ位置に確実に保持できるだけでなく、図３に示すオン状態でも、駆動体７が第２の傾斜部６ｂ上に位置するためスライダ９を所定のオン位置に確実に保持しておくことができ、その結果、何ら構造を複雑化することなく信頼性の高いラッチ機構が実現されている。
【００２１】
【発明の効果】
本発明は、以上説明したような形態で実施され、以下に記載されるような効果を奏する。
【００２２】
支持接点部材との接触部位を揺動支点とする導体板を揺動させて固定接点部材に接離させるスライドスイッチであって、該導体板に、支持接点部材上に常に傾斜した姿勢で搭載される第１の傾斜部と、この第１の傾斜部の上端部から逆向きの勾配で延出形成された第２の傾斜部と、この第２の傾斜部から延出形成されて固定接点部材に接離可能な可動接点部とが設けてあるので、導体板が揺動しても第１の傾斜部が揺動支点上で水平にはならず、よって操作時にスライダが揺動支点上で停止するという不具合が発生しなくなり、常に良好な操作性が期待できる。また、スライダに保持されて導体板に弾接する駆動体を、オフ状態で第１の傾斜部の下端近傍に位置させると共に、オン状態で第２の傾斜部上に位置させることにより、該スライダをオフ位置だけでなくオン位置にも確実に保持しておくことができるので、構造の複雑化を伴わずに信頼性の高いラッチ機構が実現できる。
【図面の簡単な説明】
【図１】本発明の実施形態例に係るスライドスイッチの分解斜視図である。
【図２】該スライドスイッチのオフ状態を示す断面図である。
【図３】該スライドスイッチのオン状態を示す断面図である。
【符号の説明】
１　ケース
１ａ　底壁
２　支持接点部材
３　第１の固定接点部材
４　第２の固定接点部材
６　導体板
６ａ　第１の傾斜部
６ｂ　第２の傾斜部
６ｃ　凸状折曲部
６ｄ　第１の可動接点部
６ｅ　第２の可動接点部
７駆動体
８　コイルばね
９　スライダ
１０　カバー
Ｐ　揺動支点
【図１】
2004014147.tif 000003
【図２】
2004014147.tif 000004
【図３】
2004014147.tif 000005